(57)【要約】【課題】簡易な構成により、鏡と連結部材とを容易且つ確実に固定することができる鏡アセンブリを提供する。【解決手段】鏡アセンブリ１は、鏡２と、鏡２の端部２Ａに設けられて収納棚（所定の取付部）に鏡２を連結する連結部材１０とを備えている。鏡２は、鏡本体３と、鏡本体３の外縁よりも外側方向に延出する延出部４Ｂを具備する形態で鏡本体３の後面に取り付けられた裏板４と、を有している。連結部材１０は、鏡２の端部２Ａの前面を覆うとともに、鏡２の前面側の外縁部（傾斜面部３Ａ）が当接する当接部２３を具備する前壁２０と、前壁２０との間に延出部４Ｂが配された鏡２の端部２Ａが挿入される形態で鏡２の端部２Ａの後面を覆う後壁３０と、延出部４Ｂの外縁方向に延出部４Ｂを押圧しつつ延出部４Ｂを前後方向に貫通する貫通部材４０と、を有している。【選択図】図８
2019141272.tif 000002
【特許請求の範囲】
【請求項１】
鏡と、前記鏡の端部に設けられて所定の取付部に前記鏡を連結する連結部材とを備えた鏡アセンブリであって、
前記鏡は、
鏡本体と、
前記鏡本体の外縁よりも外側方向に延出する延出部を具備する形態で前記鏡本体の後面に取り付けられた裏板と、
を有しており、
前記連結部材は、
前記鏡の端部の前面を覆うとともに、前記鏡の前面側の外縁部が当接する当接部を具備する前壁と、
前記前壁との間に前記延出部が配された前記鏡の端部が挿入される形態で前記鏡の端部の後面を覆う後壁と、
前記延出部の外縁方向に前記延出部を押圧しつつ前記延出部を前後方向に貫通する貫通部材と、
を有していることを特徴とする鏡アセンブリ。
【請求項２】
前記延出部には開口部が形成されており、
前記後壁には、前後方向に貫通して前記貫通部材が挿通される挿通孔が形成されており、
前記貫通部材は、前記挿通孔から前方に向かって挿通されて、前記開口部において前記延出部を貫通することを特徴とする請求項１記載の鏡アセンブリ。
【請求項３】
前記貫通部材が前記開口部及び前記挿通孔を貫通する前の状態において、前記開口部の前記鏡の外縁側の内壁面と、前記挿通孔の前記鏡の外縁とは反対側に対応する内壁面と、の間の距離は、前記貫通部材の貫通部位の幅よりも小さく設定されていることを特徴とする請求項２記載の鏡アセンブリ。
【請求項４】
前記貫通部材は、前端部の少なくとも一部が前方に向かって窄む形態で傾斜して形成された傾斜部を有していることを特徴とする請求項２又は３記載の鏡アセンブリ。
【請求項５】
前記貫通部材はタッピングビスであり、
前記延出部は、貫通する前の状態の前記貫通部材の中心軸が、前記開口部の前記延出部の外縁寄りに位置する内壁面よりも外側に位置する形態で配されていることを特徴とする請求項２記載の鏡アセンブリ。
【発明の詳細な説明】
【技術分野】
【０００１】
本発明は鏡アセンブリに関する。
【背景技術】
【０００２】
従来、鏡と、この鏡の端部に設けられて鏡を収納棚や壁面等に連結する連結部材とを備えた鏡アセンブリが知られている。この種の鏡アセンブリにおいて、連結部材は、鏡の前後面を覆う２つの壁部の間に鏡を配する形態で設けられる。連結部材と鏡との固定方法としては、例えば、鏡の後面と、この後面を覆う壁部とを接着剤によって固定する方法が知られている。
しかし、鏡と連結部材を接着剤を用いて固定する方法の場合には、接着剤の塗布や養生等が必要となり、煩雑である。
また、接着剤を用いることなく鏡と連結部材とを固定する形態としては、連結部材に可撓性を持たせ、締め付け部材を締め付けることにより前後の壁部を撓ませて鏡を挟み込む方法等が知られている（例えば、特許文献１参照）。
【先行技術文献】
【特許文献】
【０００３】
【特許文献１】特開２０１４−２０９９９１号公報
【発明の概要】
【発明が解決しようとする課題】
【０００４】
特許文献１のように鏡を挟持する場合には、接着剤の塗布や養生等の手間は省くことができるが、連結部材に可撓性を持たせる必要がある。この場合、例えば、鏡が収納棚の扉として用いる場合等、連結部材に外力が作用するような場合には、連結部材には外力に抗する所定の剛性の確保が求められる。しかしながら、剛性を高めると可撓性の確保が困難となり、鏡の挟持が不十分になって確実に固定できないおそれがある。
【０００５】
本発明は、上記従来の実情に鑑みてなされたものであって、簡易な構成により、鏡と連結部材とを容易且つ確実に固定することができる鏡アセンブリを提供することを解決すべき課題としている。
【課題を解決するための手段】
【０００６】
本発明の鏡アセンブリは、
鏡と、前記鏡の端部に設けられて所定の取付部に前記鏡を連結する連結部材とを備えた鏡アセンブリであって、
前記鏡は、
鏡本体と、
前記鏡本体の外縁よりも外側方向に延出する延出部を具備する形態で前記鏡本体の後面に取り付けられた裏板と、
を有しており、
前記連結部材は、
前記鏡の端部の前面を覆うとともに、前記鏡の前面側の外縁部が当接する当接部を具備する前壁と、
前記前壁との間に前記延出部が配された前記鏡の端部が挿入される形態で前記鏡の端部の後面を覆う後壁と、
前記延出部の外縁方向に前記延出部を押圧しつつ前記延出部を前後方向に貫通する貫通部材と、を有していることを特徴とする。
【０００７】
本発明の鏡アセンブリは、貫通部材が延出部を前後方向（厚さ方向）に貫通することで、この貫通方向の直交方向である外縁方向に延出部を押圧している。また、鏡の前面側の外縁部は、連結部材の当接部に当接している。このため、鏡全体としては、連結部材に対して相対的に、当接部に当接する前面側の外縁部を中心として回動しようとする力が作用している。これにより、鏡の端部の後面が後壁の前面に圧接された状態となり、鏡と連結部材とのがたつきを好適に抑制することができる。
【０００８】
したがって、本発明の鏡アセンブリは、簡易な構成により、鏡と連結部材とを容易且つ確実に固定することができる。
【図面の簡単な説明】
【０００９】
【図１】実施例１に係る鏡アセンブリを示す図であり、（Ａ）斜視図、（Ｂ）分解斜視図を夫々示す。
【図２】実施例１に係る鏡の要部拡大斜視図である。
【図３】実施例１に係る連結部材を示す斜視図である。
【図４】実施例１に係る連結部材を示す背面図である。
【図５】図４のＶ−Ｖ線断面図である。
【図６】実施例１に係る貫通部材を示す斜視図である。
【図７】実施例１の作用を説明するための図（その１）である。
【図８】実施例１の作用を説明するための図（その２）である。
【図９】実施例２に係る鏡の要部拡大分解背面図である。
【図１０】実施例２の作用を説明するための図（その１）である。
【図１１】実施例２の作用を説明するための図（その２）である。
【発明を実施するための形態】
【００１０】
本発明における好ましい実施の形態を説明する。
【００１１】
本発明の鏡アセンブリにおいて、
前記延出部には開口部が形成されており、
前記後壁には、前後方向に貫通して前記貫通部材が挿通される挿通孔が形成されており、
前記貫通部材は、前記挿通孔から前方に向かって挿通されて、前記開口部において前記延出部を貫通し得る。
この場合、貫通部材を延出部に容易に貫通させることができる。
【００１２】
本発明の鏡アセンブリにおいて、
前記貫通部材が前記開口部及び前記挿通孔を貫通する前の状態において、前記開口部の前記鏡の外縁側の内壁面と、前記挿通孔の前記鏡の外縁とは反対側に対応する内壁面と、の間の距離は、前記貫通部材の貫通部位の幅よりも小さく設定され得る。
この場合、貫通部材を貫通させることにより、開口部及び挿通孔の各内壁面に対して貫通部材が楔のように作用する。これにより、貫通部材により延出部を外縁方向に簡易且つ好適に押圧することができる。
【００１３】
本発明の鏡アセンブリにおいて、前記貫通部材は、前端部の少なくとも一部が前方に向かって窄む形態で傾斜して形成された傾斜部を有し得る。
この場合、傾斜部によって貫通部材を挿通孔及び開口部に容易に挿通することができるとともに、貫通部材を挿通する際に、貫通部材を挿通する力を延出部を外縁方向に押圧する力に好適に変換することができる。
なお、この傾斜部は、延出部の外縁側に対応する位置に形成されていることが好ましい。
【００１４】
本発明の鏡アセンブリにおいて、前記貫通部材はタッピングビスであり、
前記延出部は、貫通する前の状態の前記貫通部材の中心軸が、前記開口部の前記延出部の外縁寄りに位置する内壁面よりも外側に位置する形態で配され得る。
この場合、容易に入手可能なタッピングビスを用いた簡易な固定構造とすることができる。また、延出部を貫通する前の状態において、貫通部材としてのタッピングビスの中心軸が、開口部の延出部の外縁寄りに位置する内壁面よりも外側に位置していることで、貫通後の貫通部材は、その一部のみが開口部を貫通する形態となる。これにより、貫通部材であるタッピングビスは、延出部を穿孔して貫通することで延出部を外縁方向に好適に押圧することができる。
【００１５】
次に、本発明の鏡アセンブリを具体化した実施例１及び２について、図面を参照しつつ説明する。なお、以下の説明では、上下、左右の方向については、図１、図３及び図６に示す向きをそのまま上下、左右方向と定義し、前後の方向については、図５、図７、図８、図１０及び図１１に示す左方を前方、右方を後方と夫々定義して説明する。
【００１６】
＜実施例１＞
実施例１の鏡アセンブリ１は、洗面所等に配置される収納棚（図示せず）の前面扉として用いられる。すなわち、鏡アセンブリ１は、所定の取付部としての収納棚に取り付けられる。鏡アセンブリ１は、図１（Ａ）及び（Ｂ）に示すように、鏡２と、この鏡２の上下の端部２Ａ，２Ｂに夫々設けられた連結部材１０と、を備えている。
【００１７】
図２に示すように、鏡２は、鏡本体３及び裏板４を備えている。鏡本体３は、上下方向を長手方向とする正面視略矩形状をなしている。鏡本体３は、前後方向を厚さ方向とする板状に形成されている。鏡本体３の前面側の外縁部にはＣ面取りされて形成された傾斜面部３Ａが設けられている。
【００１８】
裏板４は、鏡本体３の厚さよりも薄い樹脂板からなる。裏板４は、両面テープ等により、鏡本体３の背面に接着固定されている。裏板４は、本体部４Ａ及び延出部４Ｂを具備している。本体部４Ａは、鏡本体３よりも僅かに小さい正面視略矩形状をなしている。延出部４Ｂは、本体部４Ａに一体的に形成されるとともに、本体部４Ａの上下端から鏡本体３の端面よりも外側方向に延出して形成されている。延出部４Ｂの左右幅は本体部４Ａの左右幅よりも小さく、本体部４Ａの左右方向の略中央部から上下方向に延出する形態とされている。また、延出部４Ｂには開口部４Ｃが形成されている。開口部４Ｃは、延出部４Ｂを前後方向に貫通する形態で形成されている。本実施例では、開口部４Ｃは、左右方向と比較して上下方向の長さが僅かに短い断面略矩形状をなす角孔として形成されており、延出部４Ｂの左右両端部の夫々に設けられている。開口部４Ｃには、後述する貫通部材４０の貫通部４１が挿通される。
【００１９】
連結部材１０は、鏡２と収納棚とを扉用ヒンジを介して連結する。図１（Ａ）及び（Ｂ）に示すように、連結部材１０は、鏡２の上下の端部２Ａ，２Ｂに対称に設けられている。連結部材１０は、鏡２の上下の端部２Ａ，２Ｂの延伸方向である左右方向を長手方向とする長尺状に形成されている。上下の連結部材１０は、上下に対称に形成されている以外は略同様の構成であり、以下の説明では鏡２に下端部２Ａに設けられる連結部材１０を用いて説明する。
【００２０】
図３〜図６に示すように、連結部材１０は、前壁２０、後壁３０及び貫通部材４０を備えている。連結部材１０は、前壁２０及び後壁３０の間の空間Ｓに鏡２の端部２Ａを配して設けられる。前壁２０は鏡２の端部２Ａの前面を覆う。前壁２０は、左右方向の長さが鏡２の左右幅と略同等に形成されている。前壁２０は、前覆い部２１、縁覆い部２２及び当接部２３を有している。前覆い部２１は、左右方向を長手方向とする正面視略矩形状の板状に形成されている。前覆い部２１の前面は、上下方向の中心部が前方に突出する形態で上下に緩やかに湾曲した湾曲面をなしている。前覆い部２１の左右方向両端部は後方に向かって湾曲する形態でＲ面取りされている。前覆い部２１は、後面の上部側の覆い面２１Ａで鏡２の前面を覆う。
【００２１】
縁覆い部２２は、前覆い部２１の下部側の後面から後方に延びる形態で前覆い部２１に一体的に形成されている。縁覆い部２２はその上面で鏡２の外縁を覆う。図５に示すように、縁覆い部２２は、覆い面２２Ａが鏡２の鏡本体３の外縁に対向した状態で鏡２の外縁を覆う。覆い面２２Ａは、前覆い部２１の上端よりも下方に位置する形態で設けられている。縁覆い部２２の前部には溝２２Ｂが形成されている。溝２２Ｂは、鏡２の前面から縁覆い部２２に進入する水等を排出する目的で形成されており、その底壁には下方に貫通する排出用のスリットが形成されている（図示せず）。また、縁覆い部２２の後部には隙間Ｇが形成されている。この隙間Ｇには延出部４Ｂが挿入される。隙間Ｇの前後方向の大きさは、延出部４Ｂの厚さよりも大きく形成されている。縁覆い部２２の上面は、覆い面２２Ａ、溝２２Ｂ、及び隙間Ｇにより、前後方向において中央部が空間Ｓに向かって突出する段差状を呈している。
【００２２】
図５に示すように、当接部２３は、前覆い部２１の後面であって、縁覆い部２２の上部に配されている。当接部２３は、前覆い部２１の後面から後方に突出する形態で設けられている。換言すると、前覆い部２１の上部後面である覆い面２１Ａは、当接部２３の後面よりも前方に位置していると言える。当接部２３は、前覆い部２１の左右方向の長さの略全体に亘って左右方向に延びる長尺状に形成されている。当接部２３は鏡２の前面側の外縁部に当接する。本実施例の場合、当接部２３は、前壁２０の上端から下方に離間して形成されている。また、当接部２３の上端には、後方に向かうにつれて下方に傾斜する形態のテーパ状の当接面２３Ａが形成されている。当接部２３は、この当接面２３Ａにおいて鏡本体３の傾斜面部３Ａに当接する。
【００２３】
後壁３０は、前壁２０との間に延出部４Ｂが配された鏡２の端部２Ａが挿入される形態で、鏡２の端部２Ａの後面を覆う。後壁３０は、前壁２０と同様に、左右方向の長さが鏡２の左右幅と略同等に形成されている。図５に示すように、後壁３０は後覆い部３０Ａ及び下面部３０Ｂを有している。後覆い部３０Ａは左右方向を長手方向とする板状に形成されている。後覆い部３０Ａは、その上端が前壁２０の前覆い部２１の上端よりも上方まで延びて形成されている。また、後覆い部３０Ａの左右両端部の下部は切り欠かれて形成されている。また、上述の隙間Ｇは、連結部材１０の左右方向の中央部であって、後覆い部３０Ａの前方に形成されている。
【００２４】
また、上述のように、前壁２０と後壁３０との間には空間Ｓが形成されているが、この空間Ｓにおいて、後覆い部３０Ａの前面と前覆い部２１の覆い面２１Ａとの間の距離は、鏡２の厚さ、すなわち、鏡本体３と、両面テープにより鏡本体３の裏面に接着固定された裏板４とを合わせた全体の厚さよりも僅かに大きく設定されている。また、後覆い部３０Ａの前面と当接部２３の後端面との間の距離は、鏡２の厚さよりも小さく設定されている。これにより、延出部４Ｂを除く鏡２の他の部位は、当接部２３の後端面と後覆い部３０Ａの前面との間には進入不能であり、当接部２３の上方に位置する。
【００２５】
下面部３０Ｂは、後覆い部３０Ａの下端部に沿って設けられている。下面部３０Ｂは、後覆い部３０Ａの下端部から後方に向かって延びて形成されている。後壁３０は、下面部３０Ｂと、この下面部３０Ｂの延伸方向に略直交する方向である上下方向に延伸する後覆い部３０Ａと、が一体に形成された断面略Ｌ字形状をなしている。下面部３０Ｂは、後覆い部３０Ａの左右両端部の下部が切り欠かれていることから、正面視において、左右方向の中央部が左右の端部よりも下方に突出する形態の段差状に形成されている。このように形成された下面部３０Ｂの左右両端部の下部の空間は、鏡アセンブリ１において、扉開閉用のヒンジが収納される空間、及び扉開閉時に手が挿入される空間とされる。
【００２６】
また、図４及び図５に示すように、後壁３０には挿通孔３１が形成されている。挿通孔３１は、後覆い部３０Ａを前後に貫通する形態で、後覆い部３０Ａの下部に形成されている。挿通孔３１は、延出部４Ｂの開口部４Ｃと上下方向の長さが略等しい断面略正方形状をなす角孔として形成されている。挿通孔３１は、延出部４Ｂの開口部４Ｃに対応して２か所に形成されている。挿通孔３１には、後述する貫通部材４０の貫通部４１が挿通される。
【００２７】
また、後壁３０には係止部３２が設けられている。図４に示すように、係止部３２は、２つの挿通孔３１の左右方向外側の夫々に隣接して設けられている。係止部３２は、後覆い部３０Ａの後面下部から下面部３０Ｂの上面に沿って後方に突出して形成されている。また、係止部３２には前後方向に貫通する貫通孔Ｈ１が形成されている。この貫通孔Ｈ１には、後述する貫通部材４０を係止部３２にねじ止めするためのタッピングビス５０が螺合される。この貫通孔Ｈ１の孔径は、タッピングビス５０のねじ部の径よりも小さく形成されており、タッピングビス５０によってセルフタッピングされて螺合される。
【００２８】
貫通部材４０は、延出部４Ｂの外縁方向である下方に向かって延出部４Ｂを押圧しつつ、延出部４Ｂを前後方向に貫通する。本実施例の場合、貫通部材４０は、後壁３０の後方から挿通孔３１に挿通されるとともに、延出部４Ｂに形成された開口部４Ｃにおいて延出部４Ｂを貫通する。図６に示すように、貫通部材４０は、貫通部４１及び被係止部４２を有している。貫通部４１は、挿通孔３１及び開口部４Ｃに挿通される部位である。貫通部４１は、挿通孔３１の開口の大きさよりも小さい断面略正方形状をなしている。また、貫通部４１の前端部である先端部には、先端に向かって窄む形態で傾斜して形成された傾斜部４１Ａが設けられている。本実施例では、傾斜部４１Ａは、貫通部４１の下部にのみ形成されている。
【００２９】
図６に示すように、被係止部４２は、左右方向を長手方向とする略矩形状をなす板状に形成されている。被係止部４２の一面側には貫通部４１の基端が接続されている。また、この被係止部４２の一面側には凹状部４２Ａが設けられている。凹状部４２Ａは、上述の係止部３２が嵌め込まれる凹状に形成されている。更に、被係止部４２には、この凹状部４２Ａにおいて被係止部４２を板厚方向に貫通する貫通孔Ｈ２が形成されている。貫通孔Ｈ２には上述のタッピングビス５０が挿通される。タッピングビス５０は、貫通部材４０が後壁３０に取り付けられた状態において貫通孔Ｈ２を貫通するとともに、貫通孔Ｈ１にセルフタッピングにより螺合することによって貫通部材４０を後壁３０に締結固定する。
なお、貫通部材４０は、図６に示す部材と、この部材に左右対称に形成された部材の２種類が設けられており、対称に設けられた２箇所の挿通孔３１及び係止部３２に夫々取り付けられる。
【００３０】
次に、上記構成の鏡アセンブリ１の作用について説明する。
図７に示すように、連結部材１０を鏡２に取り付ける際には、まず、連結部材１０の前壁２０の前覆い部２１と、後壁３０の後覆い部３０Ａと、の間の空間Ｓに鏡２を挿入する。そして、鏡２の前面側の外縁部に形成された傾斜面部３Ａを当接部２３に当接させるとともに、裏板４の延出部４Ｂを後覆い部３０Ａと縁覆い部２２との間の隙間Ｇに挿入する。これにより、鏡本体３の傾斜面部３Ａを当接面２３Ａに載置する。この状態において、鏡２の下部は、前面側の外縁部である傾斜面部３Ａにおいて当接部２３に当接しているが、他の部位は、前覆い部２１にも縁覆い部２２にも当接していない状態とされている。
【００３１】
なお、上述のように、前覆い部２１と後覆い部３０Ａの間の空間Ｓの前後方向の幅は、鏡２の厚さよりも僅かに大きく設定されており、縁覆い部２２と後覆い部３０Ａとの間の隙間Ｇは、裏板４の板厚よりも大きく設定されている。このため、鏡２を容易に挿入可能である。そして、空間Ｓに挿入された鏡２には、当接部２３の当接面２３Ａが後方に向かうにつれて下方に傾斜するテーパ状に形成されており、この当接部２３に傾斜面部３Ａが当接していることによって、連結部材１０に対して後方に相対移動しようとする力が作用する。これにより、鏡２の端部２Ａは、空間Ｓ内の後方寄りに配置され、前覆い部２１の覆い面２１Ａと鏡２の前面との間には隙間が生じる。
【００３２】
また、図７に示す状態、すなわち、鏡２を空間Ｓに挿入して貫通部材４０を取り付ける前の状態において、本実施例の鏡アセンブリ１では、延出部４Ｂに形成された開口部４Ｃは、後壁３０に形成された挿通孔３１よりも上方に位置するようにしている。そして、この状態において、開口部４Ｃの下側の内壁面４Ｄと、挿通孔３１の上側の内壁面３１Ａと、の間の上下方向の距離Ｄは、貫通部材４０の貫通部４１の上下幅Ｗよりも小さくなるようにしている。なお、貫通部４１は、先端に傾斜部４１Ａを設けたことにより、先端部の上下幅ｗは距離Ｄよりも小さく設定されている。
【００３３】
そして、図８に示すように、貫通部材４０の貫通部４１を後壁３０の後方から挿通孔３１に挿入するとともに開口部４Ｃにおいて延出部４Ｂを貫通させ、タッピングビス５０によって貫通部材４０を後壁３０の後面に取り付ける。この時、被係止部４２を後壁３０の後面の係止部３２に嵌め込んで係合するので、貫通部材４０を後壁３０の適切な位置に容易に取り付けられる。
【００３４】
また、貫通部４１を挿通孔３１及び開口部４Ｃに挿通する時、上述のように、貫通部４１の上下幅Ｗが開口部４Ｃの下側の内壁面４Ｄと挿通孔３１の上側の内壁面３１Ａとの間の上下方向の距離Ｄよりも大きく設定したことにより、貫通部４１は、開口部４Ｃを下方に押し下げつつ挿通孔３１及び開口部４Ｃを貫通している。これにより、延出部４Ｂには、図８に示すように、貫通部材４０によって外縁方向である下方へ押圧する力Ｆ１が作用している。また、貫通部４１を貫通させるときには、貫通部４１の先端部の傾斜部４１Ａが開口部４Ｃの下側の内壁面４Ｄに当接する。この傾斜部４１Ａの作用により、貫通部材４０の貫通部４１を前後方向に挿通させる力が延出部４Ｂを下側に押し下げる力に好適に変換される。
【００３５】
また、貫通部材４０が延出部４Ｂを前後方向に貫通して延出部４Ｂを下方に押圧する力が作用していることにより、鏡２の端部２Ａには、当接部２３の当接面２３Ａとの当接部位である傾斜面部３Ａを中心に、図８における反時計回り方向に回動しようとするモーメントＭ１が作用している。これにより、鏡２には、後面を後壁３０の後覆い部３０Ａの前面に押し付ける力Ｆ２が作用する。
【００３６】
このように、鏡２の前面側の外縁部である傾斜面部３Ａが当接部２３に当接し、且つ貫通部材４０が延出部４Ｂを前後方向に貫通して延出部４Ｂを外縁方向である下方に押圧する押圧力Ｆ１を付与していることによって、鏡２には、傾斜面部３Ａを中心に回動しようとするモーメントＭ１が作用し、鏡２の後面を後壁３０の前面に押し付ける力Ｆ２が作用する。これにより、鏡２が連結部材１０に強固に固定された状態とされる。このように、剛性の確保された連結部材１０と、これに強固に固定された鏡２と、によって、鏡アセンブリ１を鏡扉として使用する際には良好な使用感が得られる。
【００３７】
以上のように、実施例１の鏡アセンブリ１は、鏡２と、この鏡２の端部２Ａ，２Ｂに設けられて所定の取付部としての収納棚に鏡２を連結する連結部材１０とを備えている。鏡２は、鏡本体３と、この鏡本体３の外縁よりも外側方向に延出する延出部４Ｂを具備する形態で鏡本体３の後面に取り付けられた裏板４と、を有している。連結部材１０は、鏡２の前面を覆うとともに、鏡２の前面側の外縁部としての傾斜面部３Ａが当接する当接部２３を具備する前壁２０と、この前壁２０との間に延出部４Ｂが配された鏡２の端部２Ａが挿入される形態で鏡２の後面を覆う後壁３０と、延出部４Ｂの外縁方向に延出部４Ｂを押圧しつつ延出部４Ｂを前後方向に貫通する貫通部材４０とを有している。
【００３８】
実施例１の鏡アセンブリ１は、貫通部材４０の貫通部４１が延出部４Ｂを前後方向に貫通することで、この貫通方向の直交方向である外縁方向に延出部４Ｂを押圧している。また、鏡２の前面側の外縁部である傾斜面部３Ａは、連結部材１０の当接部２３に当接している。このため、鏡２の全体としては、傾斜面部３Ａを中心に回動しようとする力が連結部材１０に対して相対的に作用している。これにより、鏡２の端部２Ａ，２Ｂの後面が後壁３０の後覆い部３０Ａの前面に圧接された状態となり、鏡２と連結部材１０とのがたつきを好適に抑制することができる。
【００３９】
したがって、実施例１の鏡アセンブリ１は、簡易な構成により、鏡２と連結部材１０とを容易且つ確実に固定することができる。
【００４０】
また、延出部４Ｂには開口部４Ｃが形成されており、後壁３０には、前後方向に貫通して貫通部材４０の貫通部４１が挿通される挿通孔３１が形成されている。そして、貫通部材４０の貫通部４１は、挿通孔３１から前方に向かって挿通されて、開口部４Ｃにおいて延出部４Ｂを貫通している。このため、貫通部材４０の貫通部４１を延出部４Ｂに容易に貫通させることができる。
【００４１】
また、貫通部材４０が開口部４Ｃ及び挿通孔３１を貫通する前の状態において、開口部４Ｃの下側の内壁面４Ｄと、挿通孔３１の上側の内壁面３１Ａと、の間の上下方向の距離Ｄは、貫通部材４０の貫通部４１の上下幅Ｗよりも小さくなるように設定されている。このため、貫通部材４０を貫通させることにより、開口部４Ｃの下側の内壁面４Ｄ及び挿通孔３１の上側の内壁面３１Ａに対して貫通部材４０が楔のように作用する。これにより、貫通部材４０によって、延出部４Ｂを外縁方向である下方に簡易且つ好適に押圧することができる。
【００４２】
また、貫通部材４０は、貫通部４１の前端部の少なくとも一部が前方に向かって窄む形態で傾斜して形成された傾斜部４１Ａを有している。このため、傾斜部４１Ａによって貫通部材４０の貫通部４１を挿通孔３１及び開口部４Ｃに容易に挿通することができるとともに、貫通部４１を挿通する際に、挿通する力を延出部４Ｂを外縁方向に押圧する力に好適に変換することができる。
【００４３】
また、貫通部材４０の貫通部４１は、延出部４Ｂを前後方向に貫通しているので、上述の固定作用のみならず、鏡２の連結部材１０からの抜け止め作用も発揮することができる。
【００４４】
＜実施例２＞
次に、実施例２の鏡アセンブリ２０１について説明する。実施例２の鏡アセンブリ２０１は、貫通部材２４０としてタッピングビスを採用した点、及び貫通部材２４０の延出部２０４Ｂの貫通形態の点において実施例１の鏡アセンブリ１と相違する。その他の部分において、上述の実施例１と略同一の構成、機能を有する部分については同一の符号を付し、詳細な説明は省略する。
【００４５】
図９〜図１１に示すように、実施例２の鏡アセンブリ２０１は、鏡２０２及び連結部材２１０を備えている。鏡２０２は、裏板２０４が、左右方向を長手方向とする長穴の開口部２０４Ｃが形成された延出部２０４Ｂを有している。連結部材２１０には、貫通部材２４０が挿通される挿通孔２３１が形成されている。挿通孔２３１の内径は、タッピングビスである貫通部材２４０のねじ部２４１の外径よりも小さく設定されており、セルフタッピングにより螺合し得る大きさである。また、貫通部材２４０は先端の尖った所謂１種ねじを採用している。すなわち、本実施例の貫通部材２４０は、先端部が先端に向かって窄む形態で傾斜して形成された傾斜部を有していると言える。
【００４６】
次に、上記構成の鏡アセンブリ２０１の作用について説明する。
図１０に示すように、連結部材２１０を鏡２０２に取り付ける際には、実施例１と同様に、前壁２０の前覆い部２１と、後壁３０の後覆い部３０Ａと、の間の空間Ｓに鏡２０２を挿入し、当接部２３に鏡２０２の前面側の外縁部を当接させるとともに裏板２０４の延出部２０４Ｂを後覆い部３０Ａと縁覆い部２２との間の隙間Ｇに挿入する。具体的には、鏡本体３の傾斜面部３Ａを当接面２３Ａに載置する。この状態において、鏡２０２の下部は、実施例１と同様に、前面側の外縁部である傾斜面部３Ａにおいて当接部２３に当接しているのみの状態となる。
【００４７】
また、図１０に示す状態、すなわち、鏡２０２を空間Ｓに挿入して貫通部材２４０を取り付ける前の状態においては、延出部２０４Ｂに形成された開口部２０４Ｃは、後壁３０に形成された挿通孔２３１よりも上方に位置するように形成されている。また、この状態において、開口部２０４Ｃの下側の内壁面２０４Ｄは、挿通孔２３１の中心軸Ｃよりも上方且つ上側の内壁面２３１Ａよりも下方に位置するように設定されている。
【００４８】
そして、図１１に示すように、貫通部材２４０を後壁３０の後方から挿通孔２３１に挿入するとともに、開口部２０４Ｃにおいて延出部２０４Ｂを貫通させる。この時、開口部２０４Ｃの下側の内壁面２０４Ｄが挿通孔２３１の中心軸Ｃよりも上方に位置していることから、貫通部材２４０は、挿通孔２３１に螺合することにより、その中心軸が開口部２０４Ｃよりも延出部２０４Ｂの外縁寄りである下方に位置する形態で延出部２０４Ｂを穿孔する。また、開口部２０４Ｃの下側の内壁面２０４Ｄが挿通孔２３１の上側の内壁面２３１Ａよりも下方に位置していることから、延出部２０４Ｂを穿孔する貫通部材２４０は、その過程で、穿孔によって形成した孔を次第に拡開し、この孔と開口部２０４Ｃとの境界部を破断して孔と開口部２０４Ｃとを連結させる。これにより、貫通部材２４０は、上側の面の一部が開口部２０４Ｃ側に露出した状態となる。
【００４９】
一方、図１１に示すように、貫通部材２４０の下側の面は、延出部２０４Ｂに接触したままであるが、穿孔の過程における応力を作用させたまま接触している。これにより、貫通部材２４０のねじ部２４１は、上側の面の一部は延出部２０４Ｂに接触することなく開口部２０４Ｃ内に露出し、下側の面が延出部２０４Ｂに接触して下方に押圧した状態とされている。このため、延出部２０４Ｂには下方に押圧される力Ｆ１が作用することとなる。
【００５０】
そして、貫通部材２４０が延出部２０４Ｂを前後方向に貫通して延出部２０４Ｂを下方に押圧する力Ｆ１が作用していることにより、鏡２０２の端部２０２Ａには、当接部２３の当接面２３Ａとの当接部位である傾斜面部３Ａを中心に、図１１における反時計回り方向に回動しようとするモーメントＭ１が作用し、鏡２０２の後面を後壁３０の後覆い部３０Ａの前面に押し付ける力Ｆ２が作用する。これにより、上述の実施例１と同様に、鏡２０２が連結部材２１０に強固に固定された状態とされる。
【００５１】
なお、貫通部材２４０が延出部２０４Ｂを穿孔する過程で、穿孔によって形成した孔と開口部２０４Ｃとの境界部を破断して孔と開口部２０４Ｃとを連結させる形態を例示したが、必ずしも破断させる必要はなく、例えば、孔と開口部２０４Ｃとの境界部を伸長させ、塑性変形させるのみであってもよい。この場合も、下向きの応力が上向きの応力よりも大きくなるので、貫通部材２４０によって延出部２０４Ｂを下方に押圧する力が好適に作用する。
【００５２】
以上のように、実施例２の鏡アセンブリ２０１は、上記構成を備えたことにより、実施例１と同様の作用効果を奏する。また、実施例２では、貫通部材２４０としてタッピングビスを採用するとともに、その中心軸が開口部２０４Ｃの延出部２０４Ｂの外縁寄りである下方に位置する内壁面２０４Ｄよりも外側に位置する形態で挿通されている。このように、容易に入手可能なタッピングビスを貫通部材として採用したことにより、簡易な固定構造とすることができる。また、貫通部材２４０の中心軸を開口部２０４Ｃの内壁面２０４Ｄよりも延出部２０４Ｂの外縁寄りとなる下方に位置させたことで、貫通部材２４０の挿通時には、タッピングビスの一部のみが開口部２０４Ｃを貫通する形態となる。これにより、貫通部材２４０は、延出部２０４Ｂを穿孔して貫通することで延出部２０４Ｂを外縁方向に好適に押圧することができる。
【００５３】
本発明は上記記述及び図面によって説明した実施例１及び２に限定されるものではなく、例えば次のような実施例も本発明の技術的範囲に含まれる。
（１）実施例１及び２では、２つの貫通部材を設ける形態を例示したが、貫通部材の個数や配設位置等は特に限定されない。
（２）実施例１及び２では、貫通部材によって鏡の連結部材からの抜け止めを行う形態を例示したが、貫通部材以外の他の部材を設けて抜け止めを行ってもよい。
（３）実施例１では、後壁には係止部を設け、貫通部材には係止部に嵌め込まれる被係止部を設ける形態を例示したが、これは必須ではない。例えば、後壁に形成される挿通孔の大きさを貫通部材の貫通部と緩嵌合する程度の大きさとすること等によっても、貫通部材の位置決めを好適に行うことができる。
（４）実施例１及び２では、延出部に開口部が形成され、連結部材の後壁に挿通孔が形成されており、貫通部材がこれら開口部及び挿通孔に挿通された形態を例示したが、これは必須ではない。本発明の鏡アセンブリは、開口部及び挿通孔の一方又は両方が形成されていない形態であってもよい。
（５）実施例１では、貫通部材が開口部及び挿通孔を貫通する前の状態において、開口部の鏡の外縁側の内壁面（下側の内壁面４Ｄ）と、挿通孔の鏡の外縁とは反対側に対応する内壁面（上側の内壁面３１Ａ）と、の間の距離（Ｄ）が貫通部材の貫通部位（貫通部４１）の上下幅（Ｗ）よりも小さい形態を例示したが、これは必須ではない。開口部及び挿通孔が形成されている場合には、例えば、挿通孔が貫通部材の貫通部位の大きさよりも十分に大きく形成されている場合には、貫通部材が挿通孔の内壁面に当接することなく貫通した状態で延出部を押圧し得る。このように、延出部を前後に貫通する貫通部材によって、延出部が鏡の外縁方向に押圧されていれば、挿通孔の形態は特に限定されない。
（６）実施例２では、貫通部材であるタッピングビスの中心軸が開口部の延出部の外縁寄りに位置する内壁面よりも外側に位置する形態を例示したが、貫通部材の中心軸の位置としては、例えば、上記内壁面の位置を中心としたねじ部の外径と同等の範囲であることができる。この範囲であれば、貫通部材による延出部を外縁方向に押圧する力を好適に発揮させることができる。
（７）実施例１及び２では、連結部材が鏡と、所定の取付部としての収納棚とを連結するとともに、鏡アセンブリが収納棚の扉として用いられる形態を例示したが、連結部材は、壁面等の他の形態の取付部と鏡とを連結するものであってもよい。
（８）実施例１及び２では、延出部が裏板の上下方向に延出して設けられている形態を例示したが、左右方向に延出していてもよい。
【符号の説明】
【００５４】
１，２０１…鏡アセンブリ
２，２０２…鏡
２Ａ，２Ｂ，２０２Ａ…鏡の端部
３…鏡本体
３Ａ…傾斜面部（鏡の前面側の外縁部）
４，２０４…裏板
４Ｂ，２０４Ｂ…延出部
４Ｃ，２０４Ｃ…開口部
４Ｄ，２０４Ｄ…開口部の外縁寄りの内壁面
１０，２１０…連結部材
２０…前壁
２３…当接部
３０…後壁
３１，２３１…挿通孔
４０，２４０…貫通部材
４１Ａ…傾斜部
【図１】
2019141272.tif 000003
【図２】
2019141272.tif 000004
【図３】
2019141272.tif 000005
【図４】
2019141272.tif 000006
【図５】
2019141272.tif 000007
【図６】
2019141272.tif 000008
【図７】
2019141272.tif 000009
【図８】
2019141272.tif 000010
【図９】
2019141272.tif 000011
【図１０】
2019141272.tif 000012
【図１１】
2019141272.tif 000013